(57)【要約】【課題】  従来よりも臨場感のある電子カタログを提供する。【解決手段】  閲覧対象のカタログを表示する第１の表示部と、前記閲覧対象のカタログデータを記憶する記憶部と、前記記憶部に記憶されたデータを演算する演算部と、前記閲覧対象のカタログを操作する操作部と、を備え、前記第１の表示部は、閲覧者の頭部に装着するもので、前記閲覧対象のカタログデータを表示するディスプレイ部と、前記閲覧対象のカタログデータを受信する受信部と、前記閲覧者の頭部の傾きを検知する第１のセンサと、前記閲覧者の頭部の回転を検知する第２のセンサと、を具備し、前記カタログデータは、前記閲覧対象の３Ｄデータを含み、前記閲覧者の頭の傾き及び回転に応じた、前記閲覧対象を前記ディスプレイ部に表示する、電子カタログ。【選択図】図１
2018006977.tif 000002
【特許請求の範囲】
【請求項１】
閲覧対象のカタログを表示する第１の表示部と、
前記閲覧対象のカタログデータを記憶する記憶部と、
前記記憶部に記憶されたデータを演算する演算部と、
前記閲覧対象のカタログを操作する操作部と、を備え、
前記第１の表示部は、
閲覧者の頭部に装着するもので、
前記閲覧対象のカタログデータを表示するディスプレイ部と、
前記閲覧対象のカタログデータを受信する受信部と、
前記閲覧者の頭部の傾きを検知する第１のセンサと、
前記閲覧者の頭部の回転を検知する第２のセンサと、を具備し、
前記カタログデータは、
前記閲覧対象の３Ｄデータを含み、
前記閲覧者の頭の傾き及び回転に応じた、前記閲覧対象を前記ディスプレイ部に表示する、
電子カタログ。
【請求項２】
前記第１の表示部において、
前記第１のセンサが加速度センサであり、該加速度センサにより閲覧者の頭部の傾きを検知し、第１のデータが前記記憶部に送信され、
前記第２のセンサがジャイロセンサであり、該ジャイロセンサにより閲覧者の頭部の回転を検知し、第２のデータが前記記憶部に送信され、
前記記憶部において、前記カタログデータは、前記第１のデータ及び第２のデータに紐づけられており、
前記閲覧者の頭部の傾き及び回転に応じた、前記閲覧対象を表示する、
請求項１に記載の電子カタログ。
【請求項３】
前記記憶部には、
前記第１のデータと前記第２のデータを含むデータテーブルが保存されており、
前記データテーブルには、前記第１のデータ及び前記第２のデータに所定のしきい値が設定されており、
前記閲覧者の頭部の動きにより、前記第１のデータ及び前記第２のデータが所定のしきい値を超えた場合に、前記ディスプレイ部に表示されている前記閲覧対象における閲覧者対象者の位置が移動して、当該移動に応じた前記閲覧対象を表示する、
請求項１又は請求項２に記載の電子カタログ。
【請求項４】
前記第１の表示部は、
前記閲覧対象者の動きを検知する第３のセンサを備え、
前記閲覧対象者が実際に移動することにより、前記ディスプレイ部に表示されている前記閲覧対象における閲覧者対象者の位置が移動して、当該移動に応じた前記閲覧対象を表示する、
請求項１又は請求項２に記載の電子カタログ。
【請求項５】
前記操作部を用いた操作により、
前記ディスプレイ部に表示されている前記閲覧対象における閲覧者対象者の位置が移動して、当該移動に応じた前記閲覧対象を表示する、
請求項１乃至請求項４のいずれか１項に記載の電子カタログ。
【請求項６】
前記閲覧対象のカタログを表示する第２の表示部をさらに備える、
請求項１乃至請求項５のいずれか１項に記載の電子カタログ。
【請求項７】
前記カタログデータは、前記閲覧対象の２Ｄデータを、さらに備える、
請求項１乃至請求項６のいずれか１項に記載の電子カタログ。
【請求項８】
前記カタログデータは、前記閲覧対象のテクスチャデータを、さらに備える、
請求項１乃至請求項７のいずれか１項に記載の電子カタログ。
【請求項９】
前記閲覧対象のカタログデータは、車のカタログデータであり、
前記３Ｄデータは、前記車の外装データ及び内装データが含まれ、
前記車のドアなどから外装と内装の表示がシームレスに変更され、
前記閲覧対象者の動きや操作により、外装又は内装の表示を任意の方向から見た表示にシームレスに変更される、
請求項１乃至請求項８のいずれか１項に記載の電子カタログ。
【請求項１０】
前記車のカタログデータは、
車体カラーなどの外装のオプションデータと、
シートの色や素材などの内装のオプションデータと、を備え、
前記外装又は内装のオプションデータを変更することにより、前記車の外装又は内装の表示が変更される、
請求項９に記載の電子カタログ。
【請求項１１】
前記閲覧対象のカタログデータは、建物のカタログデータであり、
前記３Ｄデータは、前記建物の外装データ及び内装データが含まれ、
前記建物の扉や窓などから外装と内装の表示がシームレスに変更され、
前記閲覧対象者の動きや操作により、外装又は内装の表示を任意の方向から見た表示にシームレスに変更される、
請求項１乃至請求項９のいずれか１項に記載の電子カタログ。
【請求項１２】
前記建物のカタログデータは、
壁材、門、塀などの外装のオプションデータと、
間取り、壁の素材、インテリアなどの内装のオプションデータと、を備え、
前記外装又は内装のオプションデータを変更することにより、前記建物の外装又は内装の表示が変更される、
請求項１１に記載の電子カタログ。
【請求項１３】
前記カタログデータは、時間帯及び天候のデータをさらに備え、
前記閲覧対象の表示が、時間帯や天候に応じて変更される、
請求項９乃至請求項１２のいずれか１項に記載の電子カタログ。
【発明の詳細な説明】
【技術分野】
【０００１】
本発明は、電子カタログに関する。
【背景技術】
【０００２】
電子カタログは、例えばＰＣやタブレット端末を用いて閲覧するカタログである。ディスプレイ部分に閲覧対象物が表示され、マウスやキーボードの操作によって閲覧対象物の様々な情報が得られるものである。
【０００３】
従来、電子カタログは、ページの拡大縮小ができる程度のものであったが、近年の電子カタログは、マウスやキーボードの操作によって閲覧対象物を回転させることができるものなど、閲覧対象物の外観全体など多くの情報を得られるものがある（特許文献１参照）。
【０００４】
特許文献１に記載の発明は、マウスを用いて商品の映像を拡大縮小でき、またマウスを用いて画面上で商品を回転させることができるものであり、選択した商品の画像を容易に動かすことができるようにして、商品の現実感を向上させることを目的とするものである。
【先行技術文献】
【特許文献】
【０００５】
【特許文献１】特開２００１−３２５６０８号公報
【発明の概要】
【発明が解決しようとする課題】
【０００６】
しかし、特許文献１の電子カタログでは、商品を回転させることにより、商品の詳細な外部情報を得られるが、ユーザの視点は常時一定であり、主としてマウスを用いた操作により商品を閲覧するものであるため、商品の現実感や臨場感は十分なものとはいえない。
【０００７】
本発明は、従来よりも商品の現実感や臨場感を得られる電子カタログを提供することを目的とする。
【課題を解決するための手段】
【０００８】
本発明に係る一の態様の電子カタログは、閲覧対象のカタログを表示する第１の表示部と、前記閲覧対象のカタログデータを記憶する記憶部と、前記記憶部に記憶されたデータを演算する演算部と、前記閲覧対象のカタログを操作する操作部と、を備え、前記第１の表示部は、閲覧者の頭部に装着するもので、前記閲覧対象のカタログデータを表示するディスプレイ部と、前記閲覧対象のカタログデータを受信する受信部と、前記閲覧者の頭部の傾きを検知する第１のセンサと、前記閲覧者の頭部の回転を検知する第２のセンサと、を具備し、前記カタログデータは、前記閲覧対象の３Ｄデータを含み、前記閲覧者の頭の傾き及び回転に応じた、前記閲覧対象を前記ディスプレイ部に表示することを特徴とする。
【０００９】
この構成によれば、閲覧者が頭を傾けたり回転させたりすることで、閲覧対象の表示が実際の動きに応じて変化するので、商品の現実感や臨場感が従来よりも向上する。また、閲覧対象のデータに外部及び内部のデータが含まれることで、外観のみならず内部の情報を得ることができ、さらに内部においても閲覧者の頭の傾きや回転に応じた表示ができるため、商品の現実感や臨場感が向上する。ここで、閲覧者の頭部に装着する表示装置とは、例えば、閲覧者の目と周辺その他を覆うゴーグル型のものや、メガネのようなグラス型のものが含まれる。
【００１０】
また、この電子カタログは、前記第１の表示部において、前記第１のセンサが加速度センサであり、該加速度センサにより閲覧者の頭部の傾きを検知し、第１のデータが前記記憶部に送信され、前記第２のセンサがジャイロセンサであり、該ジャイロセンサにより閲覧者の頭部の回転を検知し、第２のデータが前記記憶部に送信され、前記記憶部において、前記カタログデータは、前記第１のデータ及び第２のデータに紐づけられており、前記閲覧者の頭部の傾き及び回転に応じた、前記閲覧対象を表示する。
【００１１】
また、この電子カタログは、前記記憶部に、前記第１のデータと前記第２のデータを含むデータテーブルが保存されており、前記データテーブルには、前記第１のデータ及び前記第２のデータに所定のしきい値が設定されており、前記閲覧者の頭部の動きにより、前記第１のデータ及び前記第２のデータが所定のしきい値を超えた場合に、前記ディスプレイ部に表示されている前記閲覧対象における閲覧者対象者の位置が移動して、当該移動に応じた前記閲覧対象を表示する。この構成によれば、閲覧者の頭部の動きに応じて、映像内における閲覧者の位置を移動させることができる。
【００１２】
また、この電子カタログは、前記第１の表示部が、前記閲覧対象者の動きを検知する第３のセンサを備え、前記閲覧対象者が実際に移動することにより、前記ディスプレイ部に表示されている前記閲覧対象における閲覧者対象者の位置が移動して、当該移動に応じた前記閲覧対象を表示してもよい。この構成によれば、閲覧者の頭部の動作にくわえて、閲覧者の実際の移動に応じて閲覧対象の表示を変えることができる。
【００１３】
また、この電子カタログは、前記操作部を用いた操作により、前記閲覧対象に対して移動可能であり、移動に応じた該閲覧対象のカタログを表示する構成としてもよい。この構成によれば、閲覧者が動けない状態、例えば座っている状態においても、操作部の操作により閲覧対象の表示を変えることができる。操作部は、例えばコントローラやマウスなどである。
【００１４】
また、この電子カタログは、前記閲覧対象のカタログを表示する第２の表示部を、さらに備える。ここで、第２の表示部とは、例えば液晶モニタである。この構成によれば、閲覧者が電子カタログを見ながら、閲覧者と別の第２の表示部を見ている操作者に指示することで、閲覧対象の表示を変更することができる。
【００１５】
また、この電子カタログは、前記カタログデータが前記閲覧対象の２Ｄデータを、さらに備える。この構成によれば、閲覧対象のスペック等の詳細データを確認することが可能となる。
【００１６】
また、この電子カタログは、前記カタログデータが前記閲覧対象のテクスチャデータを、さらに備える。ここで、テクスチャデータとは、閲覧対象の表面を構成するデータである。この構成によれば、閲覧対象をより現実に近い状態で表示できるので、商品の現実感や臨場感がさらに向上する。また、このテクスチャデータを変更することで、閲覧対象の色を変更したり、材質を変更したりすることが可能となる。これにより、閲覧者は閲覧対象のバリエーションを容易に確認することができる。
【００１７】
また、この電子カタログは、前記閲覧対象のカタログデータが、車のカタログデータであり、前記３Ｄデータは、前記車の外装データ及び内装データが含まれ、前記車のドアなどから外装と内装の表示がシームレスに変更され、前記閲覧者の動きや操作により、外装又は内装の表示を任意の方向から見た表示にシームレスに変更される。
【００１８】
この構成によれば、自動車の外装及び内装を確認でき、さらに閲覧者の動きに応じて車の表示が変わり、かつ、外装又は内装の表示がシームレスに遷移するので、閲覧者は現実感や臨場感を得られるとともに車をすみずみまで確認することができる。
【００１９】
また、この電子カタログは、前記車のカタログデータが、車体カラーなどの外装のオプションデータと、シートの色や素材などの内装のオプションデータと、を備え、前記外装又は内装のオプションデータを変更することにより、前記車の外装又は内装の表示が変更される。この構成によれば、閲覧者は様々なバリエーションを確認することができる。とりわけ、オプションが多い車においては有用である。
【００２０】
また、この電子カタログは、前記閲覧対象のカタログデータが、建物のカタログデータであり、前記３Ｄデータは、前記建物の外装データ及び内装データが含まれ、前記建物の扉や窓などから外装と内装の表示がシームレスに変更され、前記閲覧対象者の動きや操作により、外装又は内装の表示を任意の方向から見た表示にシームレスに変更される。
【００２１】
ここで、建物には、例えばマンションや戸建の建物、ビル、部屋などその他の建物が含まれる。この構成によれば、建物の外装及び内装を確認でき、さらに閲覧者の動きに応じて建物の表示が変わり、かつ、外装又は内装の表示がシームレスに遷移するので、閲覧者は現実感や臨場感を得られるとともに建物をすみずみまで確認することができる。
【００２２】
また、この電子カタログは、前記建物のカタログデータが、壁材、門、塀などの外装のオプションデータと、間取り、壁の素材、インテリアなどの内装のオプションデータと、を備え、前記外装又は内装のオプションデータを変更することにより、前記建物の外装又は内装の表示が変更される。この構成によれば、閲覧者は様々なバリエーションを確認することができる。
【００２３】
また、この電子カタログは、前記カタログデータが、時間帯及び天候のデータをさらに備え、前記閲覧対象の表示が、時間帯や天候に応じて変更される。この構成によれば、閲覧者は時間帯に応じた閲覧対象の変化を確認することができる。
【発明の効果】
【００２４】
本発明によれば、従来よりも商品の現実感や臨場感を得られる電子カタログの提供が可能となる。
【図面の簡単な説明】
【００２５】
【図１】本発明の一実施形態にかかる電子カタログの機器の構成を示す図である。
【図２】本発明の一実施形態にかかる表示装置の概略を示す図である。
【図３】本発明の一実施形態にかかるコントローラの概略を示す図である。
【図４】本発明の一実施形態にかかる電子カタログのデータ等の構成を示す図である。
【図５Ａ】本発明の一実施形態にかかる表示装置のディスプレイに表示される画像の一例を示す図である。
【図５Ｂ】同ディスプレイに表示される画像の一例を示す図である。
【図５Ｃ】同ディスプレイに表示される画像の一例を示す図である。
【図５Ｄ】同ディスプレイに表示される画像の一例を示す図である。
【図５Ｅ】同ディスプレイに表示される画像の一例を示す図である。
【図５Ｆ】同ディスプレイに表示される画像の一例を示す図である。
【図５Ｇ】同ディスプレイに表示される画像の一例を示す図である。
【図５Ｈ】同ディスプレイに表示される画像の一例を示す図である。
【図６】第２の実施形態にかかる閲覧者の動作の一例を示す図である。
【図７】第２の実施形態にかかるデータテーブルの一例を示す図である。
【図８】第３の実施形態にかかる電子カタログの機器の構成を示す図である。
【図９】第３の実施形態にかかる電子カタログのデータ等の構成を示す図である。
【図１０Ａ】第３の実施形態にかかる表示装置のディスプレイに表示される画像の一例を示す図である。
【図１０Ｂ】同ディスプレイに表示される画像の一例を示す図である。
【図１０Ｃ】同ディスプレイに表示される画像の一例を示す図である。
【発明を実施するための形態】
【００２６】
以下、本発明に係る一実施形態を図面に基づき説明するが、本発明は下記実施形態に限定されるものではない。
【００２７】
＜第１の実施形態＞
（１．機器構成）
図１は、本発明の一実施形態にかかる電子カタログの機器の構成を示すブロック図である。この電子カタログは、主として、表示装置１と、コンピュータ２と、液晶モニタ３と、マウス４と、キーボード５と、コントローラ６とにより構成される。表示装置１、液晶モニタ３、マウス４、キーボード５、コントローラ６は、それぞれコンピュータ２に接続されている。接続の方法は、有線・無線を問わない。
【００２８】
表示装置１は、頭部に装着して使用するディスプレイである。頭部に装着するとは、例えば、閲覧者の目を覆うゴーグル型のものやメガネ型のものがある。本実施形態においては、一例としてゴーグル型のものについて説明する。表示装置１は、閲覧者の両目全体を含む頭部前面を覆う本体１１と、本体１１に接続されるベルト部１２とを備え、閲覧者の頭部に確実に装着される。
【００２９】
図２は、本発明の一実施形態にかかる表示装置の構成を示す図である。表示装置１の本体１１の内側には、ディスプレイ１３が設けられており、閲覧者が表示装置１を装着した状態において閲覧者の目前にディスプレイ１３が配される構成で、閲覧者の目前にディスプレイ１３に表示された映像が広がる。ディスプレイ１３には、電子カタログが表示される。
【００３０】
なお、本実施形態のディスプレイ１３は、横に並ぶ２つのディスプレイ１３Ａと１３Ｂとを具備している。ディスプレイ１３Ａが左目用、ディスプレイ１３Ｂが右目用であり、それぞれに同様の映像であるが角度を若干違えた映像を表示させることで、閲覧者は立体的な映像を閲覧することができる。また、ディスプレイ１３Ａと１３Ｂとに角度の変わらない同じ映像を表示することもでき、その場合は通常１枚の映像を両目で見た時と同様の映像となる。なお、これらの映像は容易に切替え可能となっている。
【００３１】
また、本体１１の内部には、本体１１の傾きを検知する加速度センサ１４と、本体１１の回転を検知するジャイロセンサ１５とを備える。これにより、閲覧者が表示装置１を装着した状態で、閲覧者の頭の傾きや回転を検知することができる。
【００３２】
また、本体１１の内部に、本体１１の前後左右の位置を検知するＣＭＯＳセンサを備える構成としてもよく、この場合、表示装置１と別体の赤外線を送受信可能なセンサを配する構成とする。このセンサは、例えばコンピュータ２の近傍や閲覧者の前方などに設置すればよい。これにより、閲覧者が表示装置１を装着した状態で、閲覧者の頭の前後左右の動きを検知することができる。
【００３３】
また、表示装置１には、コンピュータ２からの映像データを受信する受信部１６と、加速度センサ１４やジャイロセンサ１５で検知されたデータ及びその他データを送受信する送受信部１７とを備える。また、表示装置１は、コンピュータ２と接続する端子を備え、この端子は例えば映像データを受信するＨＤＭＩ（登録商標）端子やＲＧＢ端子であり、その他のデータを送受信するＵＳＢ端子などである。なお、表示装置１をコンピュータ２と無線接続可能な構成とすれば、これらの端子を具備しない構成としてもよい。
【００３４】
コンピュータ２は、データの処理を行う演算部２１と、ＯＳ、ソフトウエア及び各種データが保存される記憶部２２と、映像データを送信する送信部２３と、各機器からのデータを送受信する送受信部２４と、を主要な構成として備える。
【００３５】
液晶モニタ３は、コンピュータ２に接続され、コンピュータ２からの映像データを受信してその映像を表示する。液晶モニタ３とコンピュータ２とは、例えばＨＤＭＩ（登録商標）ケーブルにより接続される。液晶モニタ３には、表示装置１のディスプレイ１３と同じ画像又は映像が表示されることとしてもよく、またディスプレイ１３の電子カタログに加えて、その他の情報が表示される構成としてもよい。
【００３６】
マウス４とキーボード５は、コンピュータ２に接続され、ポインタの移動やテキスト入力などに使用される。これらマウス４とキーボード５は、電子カタログを閲覧する閲覧者が直接操作してもよいし、閲覧者とは別の操作者が操作してもよい。
【００３７】
図３は、本発明の一実施形態にかかるコントローラの構成を示す図である。コントローラ６は、例えば複数のボタン６１や方向キー６２を具備するコントローラパッドであり、コンピュータ２と接続されて各種操作を行うためのものである。コントローラ６は、主として閲覧者が手に持ち操作する。
【００３８】
（２．データ構成）
図４は、本発明の一実施形態にかかる電子カタログのデータの構成を示す図である。電子カタログのデータは、コンピュータ２の記憶部２２に保存されている。詳しくは、電子カタログのソフトウェアデータのほか、電子カタログの閲覧対象物、例えば車であれば、車本体のモデルデータ、テクスチャ、シェーダ、オプションのモデルデータ及びテクスチャなどである。モデルデータとは、閲覧対象物を立体的に構成する３Ｄのモデリングデータである。テクスチャは、モデルデータの表面に貼付けられるデータであり、モデルの表面の色や模様、質感を表示して、３Ｄモデルがリアルに表示される。シェーダとは、モデルに陰影を表示するものであり、３Ｄモデルがよりリアルに表示される。
【００３９】
オプションのモデルデータ及びテクスチャには、スポイラーなどの外装やインパネなどの内装のデータが含まれる。これにより、標準の車の表示から任意のオプションを追加したものが表示可能となる。その他、仕様や寸法、価格などの車に関する２Ｄデータ、背景に関するデータ、時間や天気に応じたデータなどが含まれる。
【００４０】
これら電子カタログに関するデータは、フラッシュメモリやＤＶＤ−Ｒなどのメディアから追加可能である。また、インターネットを介してデータをダウンロードして追加することもできる。
【００４１】
また、記憶部２２には、上記の電子カタログのデータのほか、表示装置１の加速度センサ１４により検知される数値データと、ジャイロセンサ１５により検知される数値データのデータテーブルが保存されており、これらと電子カタログのデータとが紐づけられており、これら数値データに応じて、電子カタログの３Ｄモデルの映像がリアルタイムに変更される。
【００４２】
（３．操作及び表示）
次に、本実施形態にかかる電子カタログの操作と表示の一例を、車の電子カタログを例にして説明する。以下、電子カタログを閲覧する閲覧者が、表示装置１とコンピュータ２をいずれも操作する場合について説明するが、閲覧者とは別の操作者がコンピュータ２を操作することとしてもよい。
【００４３】
まず、閲覧者が表示装置１を頭部に装着し、コントローラ６を手に持つ。そして、閲覧者がコンピュータ２のマウス４又はキーボード５を使って、電子カタログのアプリケーションを立ち上げる。そうすると、コンピュータ２の液晶モニタ３に電子カタログのウィンドウが表示され、表示装置１のディスプレイ１３に電子カタログのメニュー画面が表示される（図５Ａ参照）。
【００４４】
次に、閲覧者は、コントローラ６を操作してメニュー画面から閲覧したい車種を選択する。そうすると、表示装置１のディスプレイ１３と液晶モニタ３に、所定の車種の３Ｄ映像が表示される。このときに表示された車の向き（例えば車の側面）と、閲覧者の頭の向きとが紐づけられ、これが基準となる（図５Ｂ参照）。
【００４５】
そして、閲覧者が頭の向きを横に回転させると、それにあわせて車の３Ｄ映像が横方向に回転する（図５Ｃ参照）。これは、表示装置１のジャイロセンサ１５が、表示装置１の角速度を検知し、当該データがコンピュータ２に送信されて記憶部２２に保存され、演算部２１が角速度データに応じて車の３Ｄ映像の向きを回転させる。同時に、回転した車の３Ｄ映像のデータがコンピュータ２から表示装置１に送信されて、その画像が表示装置１のディスプレイ１３にリアルタイムで表示される。
【００４６】
一方、閲覧者が頭の向きを上に傾けると、それにあわせて車の３Ｄ映像も縦方向に回転する。これは、表示装置１の加速度センサ１４が、表示装置１の加速度を検知し、当該データがコンピュータ２に送信されて記憶部２２に保存され、演算部２１が加速度データに応じて車の３Ｄ映像の向きを回転させる。同時に、回転した車の３Ｄ映像のデータがコンピュータ２から表示装置１に送信されて、その映像が表示装置１のディスプレイ１３にリアルタイムで表示される。
【００４７】
このように、閲覧者は自分の頭の動きに応じた車の３Ｄ映像をリアルタイムに閲覧することができ、これにより、閲覧者は実物の車を見ている感覚を得ることができる。
【００４８】
また、閲覧者がコントローラ６の方向キー６２の上を押すことで、表示装置１のディスプレイ１３上に映し出される車の３Ｄ映像が拡大される（図５Ｄ参照）。換言すれば、ディスプレイ１３の映像内における閲覧者の位置が前方に移動して、閲覧者の位置が車に近づいた状態となる。これは、コントローラ６の方向キー６２を押すと、当該データがコンピュータ２に送信されて記憶部２２に保存され、演算部２１がコントローラ６の入力と押している時間に応じて車の３Ｄ映像の表示を変化させる。同時に、変化した車の３Ｄ映像のデータがコンピュータ２から表示装置１に送信されて、その３Ｄ映像が表示装置１のディスプレイ１３にリアルタイムで表示される。
【００４９】
このように、閲覧者がコントローラ６の方向キー６２を操作することで、表示装置１のディスプレイ１３上に映し出される車の３Ｄ映像が変化する。例えば、方向キー６２の左右の入力により、車の３Ｄ映像が左右に移動する。イメージとしては、方向キー６２を操作することで、ディスプレイ１３における閲覧者の位置が、方向キー６２により入力された方向に移動して、その移動した位置から見える３Ｄ映像がディスプレイ１３に映し出されるものである。なお、図５Ｅは、方向キー６２を操作して、映像内の閲覧者の位置を車の側面から正面に移動させた場合の例である。さらに、移動した位置においても、上記と同様に閲覧者の頭の傾きや回転に応じて３Ｄ映像がリアルタイムに変化する。
【００５０】
以上のように、閲覧者がコントローラ６の操作や、頭の傾きや回転に連動して、ディスプレイ１３に映し出される３Ｄ映像が変化するので、閲覧者は実物の車を見ている感覚で車の外観全体を確認することができる。
【００５１】
なお、コントローラ６の方向キー６２の操作については、上記に限られず例えば方向キー６２の上下で閲覧対象物の表示が拡大縮小し、左右で閲覧対象物が水平方向に回転する仕様とすることもできる。また、方向キー６２の上下で閲覧対象物が上下方向に回転する仕様としてもよい。
【００５２】
一方、閲覧者が車の３Ｄ映像のドア付近にいる状態で（図５Ｄ参照）、コントローラ６のボタン６１を押せば、車のドアをあけることができ、車の内装を閲覧できる（図５Ｆ参照）。
【００５３】
この状態で方向キー６１の上を押せば車の中に入ることができ、さらにボタン６１と方向キー６２の操作により、閲覧者が車のシートに座った状態とすることもできる。これにより、閲覧者はシートに座った状態の内装を閲覧できる（図５Ｇ参照）。
【００５４】
また、閲覧者がシートに座った状態から、頭を傾けたり、回転させたりすることで、車の内装の天井、側面、後方などの詳細を閲覧することができる。なお、図５Ｈは、閲覧者が頭を上に傾けたときにディスプレイ１３に映し出される内装の３Ｄ映像の例である。つまり、実物の車のシートに座った状態で内装を見るときと同様の感覚で、車の内装を確認でき、閲覧者は現実感と臨場感をもって閲覧することができる。
【００５５】
以上のように、閲覧者がコントローラ６の操作や、頭の傾きや回転に連動して、ディスプレイ１３に映し出される３Ｄ映像が変化するので、閲覧者は実物の車を見ている感覚で車の外装及び内装、すわなち、車全体を確認することができる。
【００５６】
また、コンピュータ２の記憶部２２には、車のモデルデータ以外に、テクスチャやオプション等のデータが保存されている。そのため、例えば閲覧者がコントローラ６のボタン６１を押してメニューを呼び出し、任意のテクスチャやオプションを選択することで、車の３Ｄ映像の外装又は内装の色や質感、追加オプションの有無を変更することができる。オプションには、例えばスポイラーのデザインやシート調整の手動・電動の切替など、通常実車で選択可能なオプションである。
【００５７】
また、記憶部２２には、時間のデータも保存されている。上記のメニューから任意の時間を選択することで、昼や夜の車の状態を表示することができる。これにより、閲覧者は夜のライトがついた状態や、夜の内装の状態を確認できる。
【００５８】
＜第２の実施形態＞
次に、第１の実施形態とは別の第２の実施形態について説明する。第１の実施形態では、コントローラ６の方向キー６２を用いて車を様々な位置や角度から閲覧する構成、すなわち、表示された映像内における閲覧者の位置を、コントローラ６の方向キー６２の操作により前後左右の移動を行っていた。これにかえて、第２の実施形態では閲覧者の頭の傾きにより、映像内の閲覧者の前後左右の移動を実現するものである。
【００５９】
具体的には、図６に示すように、例えば表示装置１を装着した閲覧者が腰から頭ごと前方に大きく傾けた時、すなわち、閲覧者が腰を曲げておじぎをし、頭が所定の角度以上に移動した時に、映像内における閲覧者の位置が前方に移動する。後方及び左右も同様とする。これにより、閲覧者はコントローラ６によらず、自身の行動により映像内における位置を移動させることができる。
【００６０】
これを実現するために、例えば電子カタログのデータと紐づけられている加速度センサ１４により検知される数値データ、及び、ジャイロセンサ１５により検知される数値データのデータテーブルの数値に所定のしきい値を設定しておき、このしきい値を超えた時に、映像内の閲覧者の位置を移動させる構成とすればよい。本実施形態においては、加速度センサ１４により検知される加速度の数値データＸ、Ｙ、Ｚのいずれかが、５以上である場合に、映像内の閲覧者の位置が移動する構成とする例である（図７参照）。
【００６１】
＜第３の実施形態＞
（１．機器構成）
次に、第１及び第２の実施形態とは別の第３の実施形態について説明する。第１及び第２の実施形態では、基本的に閲覧者は立ち止まった状態でコントローラ６を用いて車を様々な位置や角度から閲覧する構成であったが、第３の実施形態では、閲覧者が実際に移動することによりこれを実現する構成である。第３の実施形態については、マンションなど建物の部屋を閲覧対象物として説明する。なお、第１及び第２の実施形態と同様の機器や構成については同じ符号を用いることがあり、説明を省略する場合がある。
【００６２】
図８は、第３の実施形態に係る電子カタログの機器の構成を示すブロック図である。この電子カタログは、主として表示装置１０と、赤外線送信装置２０と、コンピュータ２と、液晶モニタ３と、マウス４と、キーボード５と、コントローラ６などの機器により構成される。表示装置１０、赤外線送信装置２０、液晶モニタ３、マウス４、キーボード５、コントローラ６は、それぞれコンピュータ２に接続されている。接続の方法は、有線・無線を問わない。
【００６３】
表示装置１０は、頭部に装着して使用するディスプレイであり、閲覧者の両目全体を含む頭部前面を覆う本体１０１と、本体１０１に接続されるベルト部１０２とを備え、閲覧者の頭部に確実に装着される。
【００６４】
表示装置１０の本体１０１の内側にはディスプレイ１０３が設けられている。ディスプレイ１０３には、電子カタログが表示される。また、本体１０１の内部には、本体１０１の傾きを検知する加速度センサ１０４と、本体１０１の回転を検知するジャイロセンサ１０５と、さらに本体１０１の位置を検知する位置検知センサ１０６と、受信部１０７と、送受信部１０８とを備える。
【００６５】
なお、位置検知センサ１０６は、例えばＣＭＯＳセンサであり、表示装置１０とは別体の赤外線を照射する赤外線送信装置２０とともに用いる。ＣＭＯＳセンサは、赤外線送信装置２０から照射された赤外線を受光することにより、受光した赤外線の状態に応じて位置を検出するセンサである。これにより、閲覧者の位置を検知することができ、閲覧者の移動や位置に応じた３Ｄ映像を映し出すことができる。その他、コンピュータ２などの構成は第１の実施形態と同様であるため、説明を省略する。
【００６６】
（２．データ構成）
図９は、第３の実施形態に係る電子カタログのデータ等の構成を示すブロック図である。記憶部２２に保存される電子カタログのデータについては、第１及び第２の実施形態と大きく変わらない。これらとの違いは、電子カタログのデータに紐づけられている加速度センサ及びジャイロセンサによる数値データに、位置検知センサ１０６により検知される数値データが追加されることである。すなわち、データテーブルに、加速度センサ、ジャイロセンサ、位置検知センサのデータが設定されることとなる。これにより、閲覧者が表示装置１０とともに、実際に歩いて移動することによって、映像内の閲覧者の位置も移動し、それに応じた３Ｄ映像を見ることができる。なお、閲覧者の実際の移動距離は、映像内における閲覧者の移動距離と同じ距離としてもよいが、増幅されることが望ましい。これは、閲覧者が実際に移動できる距離にはスペースの制限があることが多いためであり、これにより現実には短い移動距離であっても映像内の閲覧者は長い移動距離となる。
【００６７】
（３．操作及び表示）
次に、本実施形態にかかる電子カタログの操作と表示の一例を、建物の部屋の電子カタログを例にして説明する。なお、以下、電子カタログを閲覧する閲覧者と、閲覧者とは別のコンピュータ２を操作する操作者との２人で実現する場合について説明するが、閲覧者がコンピュータ２を操作することとしてもよい。以下の説明において、表示装置１０を装着して電子カタログを閲覧する者を閲覧者と称し、コンピュータ２を操作する者を操作者と称する。
【００６８】
まず、閲覧者が表示装置１０を頭部に装着する。そして、操作者がコンピュータ２のマウス４又はキーボード５を使って、電子カタログのソフトウェアを立ち上げる。そうすると、コンピュータ２の液晶モニタ３に電子カタログのウィンドウが表示され、電子カタログのメニュー画面が表示される。
【００６９】
次に、閲覧者が操作者に閲覧したい部屋を伝え、操作者はそれを選択する。そうすると、表示装置１０のディスプレイ１０３と液晶モニタ３に、所定の部屋の３Ｄ画像が表示される。このときに表示された部屋の向きと、閲覧者の頭の向き及び位置とが紐づけられ、これが基準となる（図１０Ａ参照）。
【００７０】
そして、閲覧者が頭の向きを上に傾けると、それにあわせて部屋の３Ｄ画像も縦方向に回転する（図１０Ｂ参照）。これは、表示装置１０の加速度センサ１０４が、表示装置１０の加速度を検知し、当該データがコンピュータ２に送信されて記憶部２２に保存され、演算部２１が加速度データに応じて部屋の３Ｄ映像の向きを回転させる。同時に、回転した部屋の３Ｄ映像のデータがコンピュータ２から表示装置１０に送信されて、その３Ｄ映像が表示装置１０のディスプレイ１０３にリアルタイムで表示される。
【００７１】
一方、閲覧者が頭の向きを横に回転させると、それにあわせて部屋の３Ｄ映像が横方向に回転する（図１０Ｃ参照）。これは、表示装置１０のジャイロセンサ１０５が、表示装置１０の角速度を検知し、当該データがコンピュータ２に送信されて記憶部２２に保存され、演算部２１が角速度データに応じて部屋の３Ｄ映像の向きを回転させる。同時に、回転した部屋の３Ｄ映像のデータがコンピュータ２から表示装置１０に送信されて、その３Ｄ映像が表示装置１０のディスプレイ１０３にリアルタイムで表示される。
【００７２】
このように、閲覧者は自分の頭の動きに応じた部屋の３Ｄ映像をリアルタイムに閲覧することができ、これにより、閲覧者は実物の部屋を内覧している感覚を得ることができる。
【００７３】
また、閲覧者が実際に移動、例えば前方に移動すると表示装置１０のディスプレイ１０３上に映し出される部屋の３Ｄ映像が、映像内の閲覧者が移動した状態の３Ｄ映像となり、それがリアルタイムに映し出される。また、閲覧者が後方や左右に移動する場合も同様である。
【００７４】
また、閲覧者が映像内の所定の位置、例えばドアの前にいる時に、実際の閲覧者がさらに前方に移動すると、映像内の閲覧者の位置が別の部屋に移動することもできる。また、この構成は、閲覧者が操作者にドアをあける指示を出し、操作者がマウス４の操作等によって、ドアをあけるアクションを介する構成とすることもできる。
【００７５】
以上のように、閲覧者が頭の傾きや回転、移動に連動して、ディスプレイ１０３に映し出される３Ｄ映像が変化するので、閲覧者は実際に部屋を内覧している感覚で部屋の詳細を確認することができる。
【００７６】
また、コンピュータ２の記憶部２２には、部屋のモデルデータ以外にテクスチャやオプション等のデータが保存されている。そのため、例えば、閲覧者が操作者に指示して、操作者が所定のテクスチャやオプションを選択することで、部屋の３Ｄ映像の壁紙や、蛍光灯の形状、棚やテーブルの追加、削除、変更など、種々のオプションを変更することができる。
【００７７】
また、記憶部２２には時間のデータも保存されており、所定の時間を選択することで、昼や夜の部屋の状態、部屋に差し込む日当りの表示を変更することができる。これにより、閲覧者は、時間帯に応じた部屋の状態も確認できる。
【００７８】
以上のとおり、図面を参照しながら本発明の好適な実施形態を説明したが、本発明の趣旨を逸脱しない範囲内で、種々の追加、変更または削除が可能である。例えば、上記した実施形態では、表示装置とコンピュータを用いた例を説明したが、表示装置が演算部や記憶部を具備する構成とし、コンピュータを用いず表示装置のみで、これを実現する構成としてもよい。したがって、そのようなものも本発明の範囲内に含まれる。
【符号の説明】
【００７９】
１  表示装置
１１  本体
１２  ベルト
１３  ディスプレイ
１４  加速度センサ
１５  ジャイロセンサ
１６  受信部
１７  送受信部
２  コンピュータ
２１  演算部
２２  記憶部
２３  送信部
２４  送受信部
３  液晶モニタ
４  マウス
５  キーボード
６  コントローラ
６１  ボタン
６２  方向キー
１０  表示装置
１０１  本体
１０２  ベルト
１０３  ディスプレイ
１０４  加速度センサ
１０５  ジャイロセンサ
１０６  位置検知センサ
１０７  受信部
１０８  送受信部
２０  赤外線送信装置
【図１】
2018006977.tif 000003
【図２】
2018006977.tif 000004
【図３】
2018006977.tif 000005
【図４】
2018006977.tif 000006
【図５Ａ】
2018006977.tif 000007
【図５Ｂ】
2018006977.tif 000008
【図５Ｃ】
2018006977.tif 000009
【図５Ｄ】
2018006977.tif 000010
【図５Ｅ】
2018006977.tif 000011
【図５Ｆ】
2018006977.tif 000012
【図５Ｇ】
2018006977.tif 000013
【図５Ｈ】
2018006977.tif 000014
【図６】
2018006977.tif 000015
【図７】
2018006977.tif 000016
【図８】
2018006977.tif 000017
【図９】
2018006977.tif 000018
【図１０Ａ】
2018006977.tif 000019
【図１０Ｂ】
2018006977.tif 000020
【図１０Ｃ】
2018006977.tif 000021
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
閲覧対象のカタログを表示する第１の表示部と、
前記閲覧対象のカタログデータを記憶する記憶部と、
前記記憶部に記憶されたデータを演算する演算部と、
前記閲覧対象のカタログを操作する操作部と、を備え、
前記第１の表示部は、
閲覧者の頭部に装着するもので、
前記閲覧対象のカタログデータを表示するディスプレイ部と、
前記閲覧対象のカタログデータを受信する受信部と、
前記閲覧者の頭部の傾きを検知する第１のセンサと、
前記閲覧者の頭部の回転を検知する第２のセンサと、を具備し、
前記カタログデータは、前記閲覧対象の３Ｄデータを含み、
前記閲覧者の頭の傾き及び回転に応じた、前記閲覧対象が前記ディスプレイ部に表示され、
前記第１の表示部において、
前記第１のセンサが加速度センサであり、該加速度センサにより閲覧者の頭部の傾きを検知し、第１のデータが前記記憶部に送信され、
前記第２のセンサがジャイロセンサであり、該ジャイロセンサにより閲覧者の頭部の回転を検知し、第２のデータが前記記憶部に送信され、
前記記憶部において、前記カタログデータは、前記第１のデータ及び第２のデータに紐づけられており、
前記記憶部には、
前記第１のデータと前記第２のデータを含むデータテーブルが保存されており、
前記データテーブルには、前記第１のデータ及び前記第２のデータに所定のしきい値が設定され、前記閲覧者の頭部の動きにより、前記第１のデータ及び前記第２のデータが所定のしきい値を超えた場合に、前記ディスプレイ部に表示されている前記閲覧対象における当該閲覧者の位置が移動して、当該移動に応じた前記閲覧対象を表示する、
電子カタログ。
【請求項２】
前記閲覧対象のカタログデータは、建物のカタログデータであり、
前記３Ｄデータは、前記建物の外装データ及び内装データが含まれ、
前記建物の扉や窓などから外装と内装の表示がシームレスに変更され、
前記閲覧者の動きや操作により、外装又は内装の表示を任意の方向から見た表示にシームレスに変更される、
請求項１に記載の電子カタログ。
【請求項３】
前記建物のカタログデータは、
壁材、門、塀などの外装のオプションデータと、
間取り、壁の素材、インテリアなどの内装のオプションデータと、を備え、
前記外装又は内装のオプションデータを変更することにより、前記建物の外装又は内装の表示が変更される、
請求項２に記載の電子カタログ。
【請求項４】
閲覧対象のカタログを表示する第１の表示部と、
前記閲覧対象のカタログデータを記憶する記憶部と、
前記記憶部に記憶されたデータを演算する演算部と、
前記閲覧対象のカタログを操作する操作部と、を備え、
前記第１の表示部は、
閲覧者の頭部に装着するもので、
前記閲覧対象のカタログデータを表示するディスプレイ部と、
前記閲覧対象のカタログデータを受信する受信部と、
前記閲覧者の頭部の傾きを検知する第１のセンサと、
前記閲覧者の頭部の回転を検知する第２のセンサと、を具備し、
前記カタログデータは、前記閲覧対象の３Ｄデータを含み、
前記閲覧者の頭の傾き及び回転に応じた、前記閲覧対象が前記ディスプレイ部に表示され、
前記閲覧対象のカタログデータは、車のカタログデータであり、
前記３Ｄデータは、前記車の外装データ及び内装データが含まれ、
前記車のドアなどから外装と内装の表示がシームレスに変更され、
前記閲覧者の動きや操作により、外装又は内装の表示を任意の方向から見た表示にシームレスに変更される、
電子カタログ。
【請求項５】
前記車のカタログデータは、
車体カラーなどの外装のオプションデータと、
シートの色や素材などの内装のオプションデータと、を備え、
前記外装又は内装のオプションデータを変更することにより、前記車の外装又は内装の表示が変更される、
請求項４に記載の電子カタログ。
【請求項６】
前記第１の表示部において、
前記第１のセンサが加速度センサであり、該加速度センサにより閲覧者の頭部の傾きを検知し、第１のデータが前記記憶部に送信され、
前記第２のセンサがジャイロセンサであり、該ジャイロセンサにより閲覧者の頭部の回転を検知し、第２のデータが前記記憶部に送信され、
前記記憶部において、前記カタログデータは、前記第１のデータ及び第２のデータに紐づけられており、
前記閲覧者の頭部の傾き及び回転に応じた、前記閲覧対象を表示する、
請求項４又は請求項５に記載の電子カタログ。
【請求項７】
前記記憶部には、
前記第１のデータと前記第２のデータを含むデータテーブルが保存されており、
前記データテーブルには、前記第１のデータ及び前記第２のデータに所定のしきい値が設定されており、
前記閲覧者の頭部の動きにより、前記第１のデータ及び前記第２のデータが所定のしきい値を超えた場合に、前記ディスプレイ部に表示されている前記閲覧対象における当該閲覧者の位置が移動して、当該移動に応じた前記閲覧対象を表示する、
請求項６に記載の電子カタログ。
【請求項８】
前記第１の表示部は、
前記閲覧者の動きを検知する第３のセンサを備え、
前記閲覧者が実際に移動することにより、前記ディスプレイ部に表示されている前記閲覧対象における当該閲覧者の位置が移動して、当該移動に応じた前記閲覧対象を表示する、
請求項１乃至請求項７のいずれか１項に記載の電子カタログ。
【請求項９】
前記操作部を用いた操作により、
前記ディスプレイ部に表示されている前記閲覧対象における前記閲覧者の位置が移動して、当該移動に応じた前記閲覧対象を表示する、
請求項１乃至請求項８のいずれか１項に記載の電子カタログ。
【請求項１０】
前記閲覧対象のカタログを表示する第２の表示部をさらに備える、
請求項１乃至請求項９のいずれか１項に記載の電子カタログ。
【請求項１１】
前記カタログデータは、前記閲覧対象の２Ｄデータを、さらに備える、
請求項１乃至請求項１０のいずれか１項に記載の電子カタログ。
【請求項１２】
前記カタログデータは、前記閲覧対象のテクスチャデータを、さらに備える、
請求項１乃至請求項１１のいずれか１項に記載の電子カタログ。
【請求項１３】
前記カタログデータは、時間帯及び天候のデータをさらに備え、
前記閲覧対象の表示が、時間帯や天候に応じて変更される、
請求項１乃至請求項１２のいずれか１項に記載の電子カタログ。